(57)【特許請求の範囲】
【請求項１】
ボール案内用のガイド内面を持つ膨出壁部が隆起形成されるロック壁、前記ロック壁と対向する底壁、及び前記ロック壁と前記底壁とを繋ぐ左右の側壁で囲まれて成るバンド挿通孔を有する扁平筒状の結束ヘッドと、
前記バンド挿通孔に挿通される内通部分と、前記内通部分から続いて前記膨出壁部が閉口するバンド入口側で折り返されて前記底壁の外面に沿う外端部分と、を有して前記底壁に係止されるバンド基端部、及び前記内通部分に続いて前記バンド挿通孔における前記膨出壁部が開口するバンド出口側から延出されるバンド本体部を備えて形成される可撓性を有する結束バンドと、
前記膨出壁部の内側に位置して前記バンド出口側からの抜出しが規制される状態で前記結束ヘッドに内装されるロック用のボールとを有し、
前記ロック壁の前記バンド入口側の端が、対応する前記底壁の端よりも外方に突出するように延長形成されており、
前記ロック壁における前記膨出壁部よりもバンド入口側の部分に、バンド挿通方向に対する左右方向に長い横長形状に隆起形成される補強用膨出部が設けられている結束具。
【請求項２】
前記ロック壁における前記底壁の端よりも外方に突出する延長壁部の突出量が、前記バンド挿通孔の厚み方向寸法以上に設定されている請求項１に記載の結束具。
【請求項３】
前記延長壁部の幅が先窄まり状となるように左右端が傾斜形成又は湾曲形成されている請求項１又は２に記載の結束具。
【発明の詳細な説明】
【技術分野】
【０００１】
本発明は、金属製の結束ヘッドと、金属製の結束バンドと、結束ヘッドに内装されるロック用ボールと、を有して成る結束具、いわゆるボールロック式スチール結束具に関するものである。
【背景技術】
【０００２】
この種の結束具は、図１２に示すように、結束対象に巻き付けて結束ヘッド１に挿通されている結束バンド２が結束ヘッド１から引抜かれようとする方向である抜出し方向（矢印イ方向）に移動しようとする挙動が生じると、それに伴って連れ動きするロック用のボール３が結束ヘッド１の天井壁であるロック壁１ａの湾曲傾斜したガイド内面５ａにガイドされて結束バンド２に食い込むセルフロック作用が生じ、結束バンド２の引き抜き移動が不能になって結束できる構造のものである。結束ヘッド１、結束バンド２、及びボール３のそれぞれが金属製であって、金属パイプ群や多数のワイヤー等の結束対象を強固に結束及び維持可能な結束具Ａである。
【０００３】
ボールロック式でスチール製の結束具は、合成樹脂製の結束具に比べて結束力が大きく取れるので、よりきつく引き締めて結束する必要がある場合や、より耐久性が要求される結束対象の結束に好適なものである。このような結束具の例としては、特許文献１において開示されたものが知られている。
【０００４】
ところで、ボールロック式でスチール製の結束バンドは、その厚みが樹脂製のもに比べて著しく薄いとともに、当然ながら結束ヘッドのバンド挿通孔の厚さ方向寸法も樹脂製のものに比べて明確に小さい。従って、ワイヤーハーネスやパイプ群等の結束対象に結束バンドを巻き付けてからバンド先端をバンド挿通孔に挿入すること（バンド先端のバンド挿通孔への差込み操作）がやり難い面がある。
【０００５】
つまり、結束ヘッドのバンド挿通孔の厚み方向幅は非常に狭く、ただでさえバンド先端が入れ難い上に、例えばボンネット内部の奥の隅といった狭い場所や手指の届き難い箇所での結束作業では、なかなかバンド先端をバンド挿通孔に入れられず、面倒で煩わしい作業になるとともに、いきおい作業効率が非常に悪くなる。従って、結束具としては作業性の点で改善の余地が残されているものであった。
【先行技術文献】
【特許文献】
【０００６】
【特許文献１】特開平９−１０４４６６号公報
【発明の概要】
【発明が解決しようとする課題】
【０００７】
本発明の目的は、高締付強度に好適なボールロック式で金属製の結束具の構造を工夫することにより、狭い場所や奥まった場所等の条件の悪い場合でもバンド先端の差込作業が容易に行えるといった具合に、結束ヘッドのバンド挿通孔へのバンド先端の差込み操作の容易化が図られた改善されたものとして提供する点にある。
【課題を解決するための手段】
【０００８】
請求項１に係る発明は、結束具において、ボール案内用のガイド内面５ａを持つ膨出壁部５が隆起形成されるロック壁１Ａ、前記ロック壁１Ａと対向する底壁１Ｃ、及び前記ロック壁１Ａと前記底壁１Ｃとを繋ぐ左右の側壁１Ｂ，１Ｂで囲まれて成るバンド挿通孔６を有する扁平筒状の結束ヘッド１と、
前記バンド挿通孔６に挿通される内通部分２ａと、前記内通部分２ａから続いて前記膨出壁部５が閉口するバンド入口６Ａ側で折り返されて前記底壁１Ｃの外面１ｃに沿う外端部分２ｂと、を有して前記底壁１Ｃに係止されるバンド基端部２Ａ、及び前記内通部分２ａに続いて前記バンド挿通孔６における前記膨出壁部５が開口するバンド出口６Ｂ側から延出されるバンド本体部２Ｂを備えて形成される可撓性を有する結束バンド２と、
前記膨出壁部５の内側に位置して前記バンド出口６Ｂ側からの抜出しが規制される状態で前記結束ヘッド１に内装されるロック用のボール３とを有し、
前記ロック壁１Ａの前記バンド入口６Ａ側の端が、対応する前記底壁１Ｃの端よりも外方に突出するように延長形成されており、
前記ロック壁１Ａにおける前記膨出壁部５よりもバンド入口６Ａ側の部分に、バンド挿通方向に対する左右方向に長い横長形状に隆起形成される補強用膨出部１０が設けられていることを特徴とするものである。
【０００９】
【００１０】
請求項２に係る発明は、請求項１に記載の結束具において、前記ロック壁１Ａにおける前記底壁１Ｃの端よりも外方に突出する延長壁部９の突出量Ｄが、前記バンド挿通孔６の厚み方向寸法ｄ以上に設定されていることを特徴とするものである。
【００１１】
請求項３に係る発明は、請求項１又は２に記載の結束具において、前記延長壁部９の幅が先窄まり状となるように左右端が傾斜形成又は湾曲形成されていることを特徴とするものである。
【発明の効果】
【００１２】
請求項１の発明によれば、詳しくは実施形態の項にて説明するが、ロック壁がバンド入口側から延長形成されているので、バンド先端部を延長形成されている部分の内面に当て付けるようにして押し込めば、その延長形成部分の内面が案内誘導面となってバンド先端部をバンド入口からバンド挿通孔に簡単で円滑に差込み挿入できるようになる。つまり、実質的にバンド入口の上下幅が拡大されることに相当し、バンド先端部の挿入操作が非常にやり易いように改善される。その結果、高締付強度に好適なボールロック式で金属製の結束具の構造を工夫することにより、狭い場所や奥まった場所等の条件の悪い場合でもバンド先端の差込作業が容易に行えるといった具合に、結束ヘッドのバンド挿通孔へのバンド先端の差込み操作の容易化が図られた改善されたものとして提供することができる。
【００１３】
また、詳しくは実施形態の項にて説明するが、ロック壁における膨出壁部の前側の部分に左右に長い補強用膨出部が形成されるので、ロック壁の前端部の曲げ強度や剛性が効率よく改善され、セルフロック時のボールによる強大な押し拡げ力に、より高次元で耐え得る結束ヘッドを有する改善された結束具を提供することができる。
【００１４】
請求項２の発明によれば、延長壁部の突出量をバンド挿通孔の厚み方向寸法以上に形成すれば、バンド先端部のバンド挿通孔への入れ難さが問題とならないレベルにほぼ解消され、狭い結束場所であるとか視認し難い場所であるといった不利があっても良好で円滑な結束操作が行える利点がある。
【００１５】
請求項３の発明によれば、延長壁部が先窄まり状となるように左右端が傾斜形成又は湾曲形成されているから、底壁より前方突出する大型化が図られている割には、その延長壁部が邪魔とはなり難く、バンド先端部のバンド挿通孔への入れ易さが際立つ結束ヘッドを有する結束具が実現されている。また、傾斜側面であるから、手指やその他のものが延長壁部の角に引っ掛かったり、傷付けたりのおそれが解消又は軽減され、取り扱い性が良好となる点も好ましい。
【図面の簡単な説明】
【００１６】
【図１】結束具の上方から見下ろした全体斜視図
【図２】結束具の下方から見上げた全体斜視図
【図３】図１の結束ヘッド部分の拡大図
【図４】図２の結束ヘッド部分の拡大図
【図５】結束状態における結束ヘッド部分の断面図
【図６】結束対象を締め込んでいる状態を示す結束ヘッド部分の断面図
【図７】ボールによるセルフロック作用を示す結束ヘッド部分の断面図
【図８】結束バンドの基端部分を示す斜視図
【図９】結束ヘッドの下方から見上げた斜視図
【図１０】結束ヘッドの底面図
【図１１】実施例２による結束具の要部を示す断面図
【図１２】従来の結束具を示す要部の断面図
【発明を実施するための最良の形態】
【００１７】
以下に、本発明による結束具、即ちボールロック式スチール結束具の実施の形態を、図面を参照しながら説明する
【００１８】
〔実施例１〕
実施例１による結束具Ａは、図１〜図５に示すように、ステンレス鋼（金属の一例）製の結束ヘッド１と、ステンレス鋼（金属の一例）製の結束バンド２と、結束ヘッド１に内装される金属製のボール（スチールボール）３とから構成されている。例えば、多数の金属パイプの束や金属ワイヤーの束といった比較的強い引締め力を必要とする結束対象Ｔに好適なボールロック式でスチール製の結束具Ａである（図７参照）。
【００１９】
結束ヘッド１は、図３，４，９，１０に示すように、金属板片を折り曲げて端面どうしが突合せ配置されて成る扁平筒状のものであって、ボール３を案内するガイド内面５ａを持つ膨出壁部５が隆起形成されるロック壁１Ａと、ロック壁１Ａの左右から折り曲げられて形成される左右側壁１Ｂ，１Ｂと、左右側壁１Ｂ，１Ｂから折り曲げられてそれぞれの端である折り曲げ端１ｔ、１ｔどうしが付き合わせられて形成される底壁１Ｃとで囲まれて成るバンド挿通孔６を有している。尚、本明細書においては、結束ヘッド１における膨出壁部５側を上、底壁１Ｃ側を下とし、バンド挿通孔６のバンド入口６Ａ側を前、バンド出口６Ｂ側を後、バンド出口６Ｂからバンド入口６Ａを見た場合の右を右、左を左とする（図１を参照）。
【００２０】
ロック壁１Ａは、平らな天井壁部７と、その左右中央部で、かつ、バンド出口６Ｂに続く膨出開口部５ｂが形成されるように後方に偏る部分を上方に隆起形成して成る膨出壁部５とを有して構成されている。膨出壁部５は、左右方向から見た断面（縦断面）が、前下がりする傾斜が付けられた上方に凸となる湾曲形状（図５参照）を呈し、かつ、前後方向から見た断面（横断面）が、ほぼ半円形を呈する形状を呈する状態のガイド内面５ａを有している。そして、膨出壁部５の後端から続く小幅部分を下方に折り曲げて成るボール抜け出し阻止用のストップ片８が一体形成されている。
【００２１】
ロック壁１Ａには、天井壁７に続いて前方突出する延長壁部９が一体形成されている。延長壁部９は、前方に行くほど左右幅が狭くなるように平面視で台形状を為すように左右の傾斜側面９ａ，９ａを有する先窄まり状庇として形成されている。延長壁部９の底壁１Ｃの前端（左右側壁１Ｂの前端）から前方への突出量Ｄは、バンド挿通孔６の上下高さ（厚み方向幅）ｄの約２倍（Ｄ＝２ｄ）に設定されている。延長壁部９を設けてあるので、、上下幅の狭いバンド入口６Ａの縦方向の幅が実質的に増幅されることになり、かつ、延長壁部９の内面（下面）がガイド面となってバンド先端２ｔのバンド挿通孔６への差込操作が大変行いやすいものとされている。
【００２２】
延長壁部９を設けたことにより、バンド先端部２ｔをバンド入口６Ａに挿入する操作が非常にやり易いように改善される。図１２に示す従来の結束具では、ロック壁１Ａと内通部分２ａとの上下間隙に正確に位置合せしてからバンド挿通孔６に差込む、という操作になるが、現場において結束対象に巻回されて宙に浮いているような状態のバンド先端部２ｔを狭いバンド入口６Ａに位置合せする操作が難しく、面倒で煩わしいものとなることが多かった。そこで、庇となる延長壁部９を設ければ、バンド先端部２ｔを延長壁部９の庇状内面９ｂに当て付けるようにして押し込めば、その庇状内面９ｂが案内誘導面となってバンド先端部２ｔをバンド入口６Ａからバンド挿通孔６に簡単で円滑に差込み挿入できるようになる。つまり、実質的にバンド入口６Ａの上下幅が拡大されたことに相当し、入れ易くなるのである。
【００２３】
これは手指の動かし難い狭い場所であるとか、視認し難い場所での結束作業において非常に有効な手段であり、バンド先端部２ｔのバンド挿通孔６への挿入操作が実質的に非常にやり易いものとなり、明確な改善効果が得られる。延長壁部９の長さを種々に変えて試してみたところ、延長壁部９は、底壁１Ｃの前端より少しでも前方突出していれば入れ易さの効果が生じ、Ｄ＝ｄ又はｄ以上（Ｄ≧ｄ）になると結束バンド２の通し易さの問題がほぼ解消されうる。そして、底壁１Ｃの前端上縁と延長壁部９の前端下縁との間隔がバンド挿通孔６の上下寸法ｄの２倍以上、即ち延長壁部９の前方突出量Ｄが１．７３２倍（√３倍）以上あると非常に入れ易くなることが知見された。
【００２４】
但し、前方突出量Ｄが大きくなり過ぎると、バンド先端部２ｔを内面９ｂに当て付けてからバンド入口６Ａに移動する距離が長くなり、内面９ｂによるガイド機能が実質的に無いのと変わらないことになる場合があることも判ってきた。従って、前方突出量Ｄは、バンド挿通孔６の上下寸法ｄの４倍以下、好ましくは３倍以下に設定するのが、バンド先端部２ｔのバンド挿通孔６への入れ易さを維持する点で望ましい。つまり、延長壁部９の前方突出量Ｄは、ｄ≦Ｄ≦４ｄであり、好ましくは√３ｄ≦Ｄ≦４ｄ、より好ましくは√３ｄ≦Ｄ≦３ｄに設定するのが良いと考えられる。
【００２５】
また、延長壁部９が、先窄まり状となるように左右端が傾斜側面９ａ，９ａに形成されているから、底壁１Ｃよりも前方突出する長さ増大化（要するに大型化）が図られている割には、その延長壁部９が邪魔とはなり難く、従って、バンド先端部２ｔのバンド挿通孔６への入れ易さが際立つ結束ヘッドが実現されている。加えて、傾斜側面９ａであるから、手指やその他のものが延長壁部９の角に引っ掛かったり、傷付けたりのおそれが解消又は軽減されるので、取り扱い性が良好となる点も好ましい。尚、上記は延長壁部９の左右端が傾斜形成されている例であるが、外方に向けて凸となるように湾曲形成すれば、より一層好ましい。
【００２６】
図９，図１０に示すように、底壁１Ｃにおける前後中央からやや後方寄りの位置（「バンド挿通方向の中央領域」の一例）には、左右の折り曲げ端（突合せ端部）１ｔ、１ｔに跨る状態で矩形形状を呈する係合孔４が形成されている。これは、詳しくは後述するが、バンド基端部２Ａに形成されている切起し爪１１を係入させて結束バンド２の結束ヘッド１からの抜け出しを規制するためのものである。尚、左右の側壁１Ｂ，１Ｂは、共に前後方向視で半円形を呈する湾曲壁に形成されており、それらの前後長さは底壁１Ｃと同じである。
【００２７】
また、天井壁部７における膨出壁部５と延長壁部９との前後間に、より詳しくは、底壁１Ｃの前端と膨出壁部５との前後間に位置させて、バンド挿通方向に対する左右方向に長い横長形状に隆起形成される補強用膨出部１０が形成されている。補強用膨出部１０は、膨出壁部５と同様にプレス成形によって天井壁部７に一体形成されており、ロック壁１としてのバンド入口６Ａ側の強度や剛性を向上させる手段として有効に機能する。尚、図３に示すように、補強用膨出部１０は、その前後幅Ｓよりも左右幅Ｗが長い関係（Ｗ＞Ｓ）に設定されている。実施例１において補強用膨出部１０は左右に長く縦で断面が円弧状を呈するように湾曲形状のものに形成されているが、形状としてはその限りではない。
【００２８】
結束ヘッド１内に挿通されているバンド本体部２Ｂとガイド内面５ａとの間にボール３が食い込むセルフロック時には、結束ヘッド１を上下に押し開こうとする強い力が作用する。底壁１Ｃには、２枚重なる結束バンド２を介してボール３による力が作用するので、比較的広い範囲にその力が分散されることになるのに対して、ロック壁部１Ａ直にボール３で押されるロック壁１Ａには一点に応力集中し、変形し易い条件下にある。従って、天井壁部７における膨出壁部５の前側の部分に補強用膨出部１０を形成することにより、ロック壁１Ａの前端部の曲げ強度や剛性が改善されるので、セルフロック時のボール３による強大な押し拡げ力に、より高次元で耐え得る結束ヘッド１が実現可能となっている。
【００２９】
結束バンド２は、図１，２，４〜８に示すように、結束ヘッド１に係止されるバンド基端部２Ａとバンド本体部２Ｂとバンド先端部２ｔとをそなえて長尺帯鋼製で可撓性を有するバンドである。詳述すると、バンド基端部２Ａは、バンド挿通孔６に挿通される内通部分２ａと、内通部分２ｎから続いてバンド入口６Ａ側（膨出壁部５が閉口する入口側）で折り返されて底壁１Ｃの外面１ｃに沿うとともに、底壁１Ｃにおける左右の折り曲げ端（突合せ端部）１ｔ、１ｔに跨る状態で形成される係合孔４に係入する切起し爪１１を有して結束ヘッド１に係止される外端部分２ｂとで成る部分である。バンド本体部２Ｂは、内通部分２ａに続いてバンド挿通孔６におけるバンド出口６Ｂ側（膨出壁部５が開口する出口側）から延出される部分であり、結束バンドの大部分を占める。バンド先端部２ｔはバンド挿通孔６に差込み易いように先細り形状に形成されている。
【００３０】
バンド基端部２Ａは、要するにバンド端を１８０度折り曲げて成る部分のことであり、外端部分２ｂに形成されている切起し爪１１と底壁１Ｃの係合孔４との係合、及び底壁１Ｃの前端を巻回して１８０度折り曲げる構造により、結束バンド２が結束ヘッド１に係止及び保持されている。内通部分２ａには、底壁１Ｃの係合孔４に入り込み可能な円形凹み１２が形成されており、その凹み１２にはボール３が嵌り込み可能でもある。そして、その凹み１２と切起し爪１１とは、バンド端部２Ａを結束ヘッド１に装着して係止させる状態において、それら両者１１，１２が丁度係合孔４に係入されるように設定されている。
【００３１】
加えて、図６に示すように、バンド本体部２Ｂがバンド挿通孔６に通されて結束ループＰ（図７参照）が作成されている状態におけるバンド本体部２Ｂのバンド入口６Ａから抜き出そうとする方向（矢印イ方向）の移動に伴い、ボール３が連れ移動してバンド本体部２Ｂとガイド内面５ａとの間に押し込まれてバンド本体部２Ｂを強く圧迫するセルフロック作用が生じる。そして尚もバンド本体部２Ｂが抜き出し方向に（矢印イ方向）に引っ張られると、凹み１２上のバンド本体部２Ｂに位置しているボール３が連れ動きによって前方下方に移動し、図７に示すように、バンド本体部２Ｂを下方に強く押して凹み１２に入り込むように凹み変形させてロックする挙動を示す。
【００３２】
つまり、内通部分２ａに係合孔４へ迫出すように屈曲形成された凹み１２が設けられており、バンド入口（入口側の一例）６Ａからバンド挿通孔６に通されているバンド本体部２Ｂがバンド入口６Ａから抜出す方向に移動しようとする際にガイド内面５ａに沿って案内移動されるボール３が、バンド本体部２Ｂを凹み１２に向けて押圧可能となるように、膨出壁部５と係合孔４とが関係付けられて形成されている。
【００３３】
ところで、球体であるボール３を結束ヘッド１内に抜け出し防止状態で装填するには、まず、ストッパ片８を下方に折り曲げていない状態のときに、バンド出口６Ｂに続けて形成されている膨出開口部５ｂから膨出壁部５内にボール３を入れ込み、それからストッパ片８を下方に折り曲げる（図５に示す状態）のである。つまり、結束ヘッド１に内装されているボール３は、膨出壁部５が開口する側であるバンド出口６Ｂ側からの抜出しが規制されている。
【００３４】
さて、ここで結束具Ａによる一連の結束動作を簡単に説明すると、結束対象Ｔにバンド本体部２Ｂを巻回させて結束ループＰ（図７参照）を作るべく、バンド先端部２ｔをバンド入口６Ａからバンド挿通孔６に通す。バンド出口６Ｂから出ているバンド先端部２ｔを引張って結束対象を引締めてゆき、所定の結束力になったら結束バンド２の引締めを解除する、という具合である。つまり、所定の結束力になった際の結束バンドの引締め解除時には、図６のようにボールがセルフロック動作し、バンド本体部２Ｂの矢印イ方向への移動が阻止され、有効な結束状態が維持される。
【００３５】
但し、多数の金属パイプ群といった重量物の結束では結束バンド２に作用する張力が相当に大きくなり、引締めを解除したときの結束バンド２の引張り戻し力も相当に大となる。従って、そのような場合は、バンド本体部２Ｂが強く引っ張り戻されて、図６に示す状態からさらにボール３が食い込み移動し、図７に示すように、内通部分２ａの上に重なっているバンド本体部２Ｂに、凹み１２に入り込む凹み変形部１３を生じさせるほど凹ませてのセルフロック作用により、バンド本体部２Ｂの引っ張戻り移動が止まる。換言すれば、それほど強い引締め力が必要となる結束にも耐え得る結束具が実現できている。
【００３６】
本発明による結束具では、底壁１Ｃの係合孔４を従来のバンド入口６Ａ付近の位置から前後中央領域に変更してあるので、底壁１Ｃにおける係合孔４のバンド入口６Ａ側の部分である保持部分１ｈ，１ｈの前後長さが長くなり、切起し爪１１によって係合孔４が強く押されても保持部分１ｈ，１ｈがまず潰れ変形しないように改善されている。従って、バンド基端部２Ａの外端部分２ｂに強い引張り力が作用しても切起し爪１１によって係合孔４が押し拡げられて保持部分１ｈ，１ｈが潰れ変形する不都合が生じないようになり、その分引締め力向上に寄与できるようになる。
【００３７】
そして、内通部分２ａに係合孔４に入り込む凹み１２を形成し、しかもガイド内面５ａとバンド本体部２Ｂとで案内されるボール３が凹み１２の上に導かれてバンド本体部２Ｂに凹み１２に迫り出す凹み変形部１３を生じさせてセルフロック機能が発揮されるように、係合孔４と膨出壁部５とが関係付けられて構成されている。これは、係合孔４の位置が従来より後方に移動させて配置してあることによって可能となっている。凹み１２が係合孔４に入り込んでいることと保持部分１ｈの前後長の長大化との相乗により、バンド基端部２Ａの結束ヘッド１への保持力が大きく改善され、それによって引締め力向上に寄与できている。
【００３８】
加えて、ボール３によるセルフロック時には、バンド本体部２Ｂをその下方に位置する凹み１２を利用してそこに迫り出すように凹ませ変形するように設定されているから、バンド本体部２Ｂにボール３を食い込ませてのより大なる制動作用（セルフロック作用）が生じ、従来よりも結束バンド２の緩みが少なく、かつ、強固に係止保持できるように改善されている。
【００３９】
〔実施例２〕
実施例２による結束具Ａは、図１１に示すように、ロック壁１Ａの前方長さが短く、かつ、補強用膨出部１０が省略されている例である。即ち、延長壁部９の前方突出量Ｄが実施例１の場合に比べて短くされており、例えば、前方突出量Ｄがバンド挿通孔６の厚さ方向幅ｄと同じ（Ｄ＝ｄ）に設定されている。その他は実施例１による結束具Ａと同じであり、対応する箇所には対応する符号を記すものとする。
【００４０】
〔別実施例〕
ロック壁１Ａの底壁１Ｃに対する前方突出量Ｄは上記実施例１，２に限定されるものではなく、種々に変更が可能である。また、補強用膨出部１０の縦横比も種々に変更可能である。
【符号の説明】
【００４１】
１          結束ヘッド
１Ａ        ロック壁
１Ｂ        左右側壁
１Ｃ        底壁
１ｃ        底壁の外面
２          結束バンド
２Ａ        バンド基端部
２Ｂ        バンド本体部
２ａ        内通部分
２ｂ        外端部分
３          ボール
５          膨出壁部
５ａ        ガイド内面
６          バンド挿通孔
６Ａ        バンド入口
６Ｂ        バンド出口
９          延長壁部
１０        補強用膨出部
Ｄ          延長壁部の突出量
ｄ          バンド挿通孔の厚み方向寸法
【図１】
0005452998.tif 000002
【図２】
0005452998.tif 000003
【図３】
0005452998.tif 000004
【図４】
0005452998.tif 000005
【図５】
0005452998.tif 000006
【図６】
0005452998.tif 000007
【図７】
0005452998.tif 000008
【図８】
0005452998.tif 000009
【図９】
0005452998.tif 000010
【図１０】
0005452998.tif 000011
【図１１】
0005452998.tif 000012
【図１２】
0005452998.tif 000013